(57)【要約】【課題】熱交換素子を通る風路の全体に空気を流すことができるようにした換気装置を提供する。【解決手段】熱交換型換気装置１Ａは、熱交換素子２の給気吹出口２１ＳＡの幅方向において、給気ファン３ＳＡに近い側の給気吹出口２１ＳＡからファン吸込口３１ａに吸い込まれる空気の流れを迂回させ、給気ファン３ＳＡに近い側と遠い側の給気吹出口２１ＳＡから、同量程度の空気を吸い込むように整流する整流板８ＳＡと、熱交換素子２の排気吹出口２１ＥＡの幅方向において、排気ファン３ＥＡに近い側の排気吹出口２１ＥＡからファン吸込口３１ａに吸い込まれる空気の流れを迂回させ、排気ファン３ＥＡに近い側と遠い側の排気吹出口２１ＥＡから、同量程度の空気を吸い込むように整流する整流板８ＥＡを備える。【選択図】    図１
2014092292.tif 000002
【特許請求の範囲】
【請求項１】
屋外から吸い込まれた外気と、室内から吸い込まれた還気との間で熱交換を行う熱交換手段と、
屋外から外気を吸い込み、前記熱交換手段で還気と熱交換された外気を給気として室内に吹き出す給気送風手段と、
室内から還気を吸い込み、前記熱交換手段で外気と熱交換された還気を排気として屋外に吹き出す排気送風手段と、
前記熱交換手段の第１の熱交換風路を通って前記給気送風手段に吸い込まれる空気を、前記第１の熱交換風路の全体を通すと共に、前記熱交換手段の第２の熱交換風路を通って前記排気送風手段に吸い込まれる空気を、前記第２の熱交換風路の全体を通す整流手段と
を備えたことを特徴とする換気装置。
【請求項２】
前記整流手段は、前記熱交換手段の前記第１の熱交換風路から空気が吹き出される給気吹出部と前記給気送風手段との距離に応じて、空気の流れを整流する整流部材と、前記熱交換手段の前記第２の熱交換風路から空気が吹き出される排気吹出部と前記排気送風手段との距離に応じて、空気の流れを整流する整流部材の両方あるいは一方を備えた
ことを特徴とする請求項１に記載の換気装置。
【請求項３】
前記整流部材は、前記熱交換手段と前記給気送風手段及び前記熱交換手段と前記排気送風手段とが近い側で空気の流れを遮蔽し、遠い側で空気を通す
ことを特徴とする請求項２に記載の換気装置。
【請求項４】
前記整流手段は、前記熱交換手段で空気が吸い込まれる吸込部と空気が吹き出される吹出部のいずれかあるいは両方の中心位置と、前記熱交換手段と連通する風路の位置が略合うように構成された
ことを特徴とする請求項１〜請求項３のいずれか１項に記載の換気装置。
【請求項５】
前記給気送風手段と前記排気送風手段は、回転駆動される羽根車と、前記羽根車が回転駆動されることで空気が吸い込まれるファン吸込部と、前記ファン吸込部から吸い込まれた空気が吹き出されるファン吹出部を備え、
前記整流手段は、前記熱交換手段で空気が吹き出される吹出部の中心位置と、前記給気送風手段と前記排気送風手段の前記ファン吸込部の位置が略合うように構成された
ことを特徴とする請求項４に記載の換気装置。
【発明の詳細な説明】
【技術分野】
【０００１】
本発明は、外気と室内の空気との間で熱交換を行って給排気を行う熱交換型の換気装置に関する。
【背景技術】
【０００２】
従来から外気と室内の空気との間で熱交換を行って、温度が調整された新鮮な空気（外気）を供給できるようにした熱交換型換気装置が提案されている（例えば、特許文献１参照）。
【０００３】
このような熱交換型の換気装置では、ベルマウス等と称されるファン吸込口と、熱交換を行う熱交換素子における空気の吹出口は対向していない配置となっている構成が多く、ファン吸込口と熱交換素子における空気の吹出口との距離が近い部位と遠い部位が存在する。
【先行技術文献】
【特許文献】
【０００４】
【特許文献１】特開２００９−１８０４７０号公報
【発明の概要】
【発明が解決しようとする課題】
【０００５】
ファン吸込口と熱交換素子における空気の吹出口との距離が近い部位と遠い部位が存在すると、熱交換素子の空気の吹出口において、ファン吸込口に近い側から多くの空気が吸い込まれ、風量の分布にばらつきが生じる。これにより、熱交換素子を通る風路の全体に空気を流すことができず、熱交換効率が低下していた。
【０００６】
また、熱交換素子における空気の吹出口あるいは吸込口と、熱交換素子と連通した風路との位置関係によっても、風量の分布にばらつきが生じ、熱交換素子を通る風路の全体に空気を流すことができず、熱交換効率が低下していた。
【０００７】
本発明は、このような課題を解決するためになされたもので、熱交換素子を通る風路の全体に空気を流すことができるようにした換気装置を提供することを目的とする。
【課題を解決するための手段】
【０００８】
上述した課題を解決するため、本発明は、屋外から吸い込まれた外気と、室内から吸い込まれた還気との間で熱交換を行う熱交換手段と、屋外から外気を吸い込み、熱交換手段で還気と熱交換された外気を給気として室内に吹き出す給気送風手段と、室内から還気を吸い込み、熱交換手段で外気と熱交換された還気を排気として屋外に吹き出す排気送風手段と、熱交換手段の第１の熱交換風路を通って給気送風手段に吸い込まれる空気を、第１の熱交換風路の全体を通すと共に、熱交換手段の第２の熱交換風路を通って排気送風手段に吸い込まれる空気を、第２の熱交換風路の全体を通す整流手段とを備えた換気装置である。
【０００９】
本発明の換気装置では、屋外から吸い込まれた外気が通る熱交換手段の第１の熱交換風路と、室内から吸い込まれた還気が通る熱交換手段の第２の熱交換風路で、各熱交換風路の全体を空気が流れる。
【発明の効果】
【００１０】
本発明の換気装置によれば、熱交換手段の第１の熱交換風路を通って給気送風手段に吸い込まれる空気を、第１の熱交換風路の全体を通すと共に、熱交換手段の第２の熱交換風路を通って排気送風手段に吸い込まれる空気を、第２の熱交換風路の全体を通すことができ、熱交換効率を向上させることができる。
【図面の簡単な説明】
【００１１】
【図１】本実施の形態の熱交換型換気装置の風路構成の一例を示す正面断面図である。
【図２】本実施の形態の熱交換型換気装置の風路構成の一例を示す側面断面図である。
【図３】本実施の形態の熱交換型換気装置の風路構成の一例を示す側面断面図である。
【図４】本実施の形態の熱交換型換気装置の外観構成の一例を示す正面図である。
【図５】本実施の形態の熱交換型換気装置の外観構成の一例を示す上面図である。
【図６】熱交換素子と給気ファン及び排気ファンとの位置関係を示す構成図である。
【図７】熱交換素子と還気吸込口との位置関係を示す構成図である。
【図８】本実施の形態の熱交換型換気装置の制御機能の一例を示すブロック図である。
【図９】本実施の形態の熱交換型換気装置が設置される建物の一例を示す模式的な構成図である。
【図１０】給気ファン及び排気ファンに吸い込まれる空気の流れを示す動作説明図である。
【図１１】整流板の有無による熱交換素子の吹出口における風速の分布を示すグラフである。
【図１２】ダクトジョイントの位置による熱交換素子の吸込口における風速の分布を示すグラフである。
【発明を実施するための形態】
【００１２】
以下、図面を参照して、本発明の換気装置の実施の形態としての熱交換型換気装置について説明する。
【００１３】
＜本実施の形態の熱交換型換気装置の全体構成例＞
図１は、本実施の形態の熱交換型換気装置の風路構成の一例を示す正面断面図、図２は、本実施の形態の熱交換型換気装置の風路構成の一例を示す側面断面図、図３は、本実施の形態の熱交換型換気装置の風路構成の一例を示す側面断面図である。また、図４は、本実施の形態の熱交換型換気装置の外観構成の一例を示す正面図、図５は、本実施の形態の熱交換型換気装置の外観構成の一例を示す上面図である。
【００１４】
本実施の形態の熱交換型換気装置１Ａは、装置本体１０が建物の床に設置される形態で使用される。熱交換型換気装置１Ａは、屋外から吸い込まれた外気ＯＡと、室内から吸い込まれた還気ＲＡとの間で熱交換を行う熱交換素子２を装置本体１０に備える。
【００１５】
また、熱交換型換気装置１Ａは、屋外から外気ＯＡを吸い込み、熱交換素子２で還気ＲＡと熱交換された外気ＯＡを、給気ＳＡとして室内に吹き出す給気ファン３ＳＡを装置本体１０に備える。
【００１６】
更に、熱交換型換気装置１Ａは、室内から還気ＲＡを吸い込み、熱交換素子２で外気ＯＡと熱交換された還気ＲＡを、排気ＥＡとして屋外に吹き出す排気ファン３ＥＡを装置本体１０に備える。
【００１７】
熱交換型換気装置１Ａは、装置本体１０の上面に空気の吸込口と吹出口が形成される構成で、屋外からの外気ＯＡが吸い込まれる外気吸込口１０ＯＡと、室内への給気ＳＡが吹き出される給気吹出口１０ＳＡを、装置本体１０の上面に備える。また、熱交換型換気装置１Ａは、室内からの還気ＲＡが吸い込まれる還気吸込口１０ＲＡと、屋外への排気ＥＡが吹き出される排気吹出口１０ＥＡを、装置本体１０の上面に備える。
【００１８】
熱交換型換気装置１Ａは、本例では、還気吸込口１０ＲＡと給気吹出口１０ＳＡが、装置本体１０の正面側の上面に並列して設けられ、外気吸込口１０ＯＡと排気吹出口１０ＥＡが、装置本体１０の背面側の上面に並列して設けられる。
【００１９】
また、熱交換型換気装置１Ａは、還気吸込口１０ＲＡと外気吸込口１０ＯＡが、装置本体１０を正面から見て左側に設けられ、給気吹出口１０ＳＡと排気吹出口１０ＥＡが、装置本体１０を正面から見て右側に設けられる。
【００２０】
熱交換型換気装置１Ａは、還気吸込口１０ＲＡにＲＡダクトジョイント１１ＲＡが取り付けられ、外気吸込口１０ＯＡにＯＡダクトジョイント１１ＯＡが取り付けられる。また、熱交換型換気装置１Ａは、給気吹出口１０ＳＡにＳＡダクトジョイント１１ＳＡが取り付けられ、排気吹出口１０ＥＡにＥＡダクトジョイント１１ＥＡが取り付けられる。
【００２１】
熱交換型換気装置１Ａは、金属等で構成された筐体１１の内側に、気密性及び断熱性を有した材質、本例では発泡スチロールで構成された風路形成部材１２が取り付けられて、装置本体１０が構成される。
【００２２】
熱交換素子２は熱交換手段の一例で、外気ＯＡが通る第１の熱交換風路２０ａを構成する部材と、還気ＲＡが通る第２の熱交換風路２０ｂを構成する部材が、第１の熱交換風路２０ａと第２の熱交換風路２０ｂとの間での空気の流れが遮蔽された状態となるように積層されて構成される。
【００２３】
熱交換素子２は、熱交換素子取付部１３に取り付けられた状態で、第１の熱交換風路２０ａと第２の熱交換風路２０ｂが前後方向に沿って交互に積層される。また、熱交換素子２は、還気ＲＡが吸い込まれる還気吸込口２１ＲＡと、給気ＳＡが吹き出される給気吹出口２１ＳＡが、熱交換素子２の上部に並列して設けられる。更に、熱交換素子２は、外気ＯＡが吸い込まれる外気吸込口２１ＯＡと、排気ＥＡが吹き出される排気吹出口２１ＥＡが、熱交換素子２の下部に並列して設けられる。
【００２４】
熱交換素子２は、本例では、装置本体１０を正面から見て、左側の上部に還気吸込口２１ＲＡが形成され、右側の上部に給気吹出口２１ＳＡが形成される。また、熱交換素子２は、左側の下部に外気吸込口２１ＯＡが形成され、右側の下部に排気吹出口２１ＥＡが形成される。
【００２５】
これにより、熱交換素子２の下部の外気吸込口２１ＯＡから吸い込まれ、第１の熱交換風路２０ａを通り、熱交換素子２の上部の給気吹出口２１ＳＡから吹き出される空気と、熱交換素子２の上部の還気吸込口２１ＲＡから吸い込まれ、第２の熱交換風路２０ｂを通り、熱交換素子２の下部の排気吹出口２１ＥＡから吹き出される空気の流れが対向する。ここで、熱交換素子２が第１の熱交換風路２０ａと第２の熱交換風路２０ｂとの間で湿度の交換ができる構成である場合、図示しない透湿層に防カビ剤を添加することで、カビの発生が抑えられる。
【００２６】
熱交換型換気装置１Ａは、熱交換素子２が取り付けられる熱交換素子取付部１３が、装置本体１０を正面から見て中央付近に設けられる。熱交換型換気装置１Ａは、風路形成部材１２に空間を設けて熱交換素子取付部１３が形成され、装置本体１０の風路形成部材１２に熱交換素子２が取り付けられる。
【００２７】
熱交換型換気装置１Ａは、熱交換素子取付部１３に取り付けられる熱交換素子２が前後方向に移動可能に支持される構成を熱交換素子２と熱交換素子取付部１３に備える。熱交換型換気装置１Ａは、筐体１１の正面板１１ａを取り外すことで、熱交換素子２が前後方向への移動で装置本体１０の正面側から着脱可能に構成される。
【００２８】
給気ファン３ＳＡは給気送風手段の一例、排気ファン３ＥＡは排気送風手段の一例で、給気ファン３ＳＡ及び排気ファン３ＥＡは、回転駆動される多翼の羽根車３０と、羽根車３０を回転させるモータ３０Ｍと、風路を形成するファンケース３１と、ファンケース３１内を通る空気の風量を検出する風量検出センサ３２を備える。
【００２９】
ファンケース３１は風路形成手段の一例で、羽根車３０が回転駆動されることで空気が吸い込まれる吸込部であるファン吸込口３１ａと、ファン吸込口３１ａから吸い込まれた空気が吹き出される吹出部であるファン吹出口３１ｂを備える。また、ファンケース３１は、ファン吸込口３１ａから吸い込んだ空気をファン吹出口３１ｂから吹き出す空気の流れを生成する風路であるファンケース風路３１ｃを備える。
【００３０】
給気ファン３ＳＡ及び排気ファン３ＥＡは、ベルマウスと称される円形の開口で構成されるファン吸込口３１ａが、羽根車３０の軸方向に沿って設けられる。また、給気ファン３ＳＡ及び排気ファン３ＥＡは、羽根車３０の外周に沿ってファンケース風路３１ｃが設けられ、羽根車３０の軸方向に沿ってファン吸込口３１ａから吸い込まれた空気が、羽根車３０の回転方向に沿ってファン吹出口３１ｂから吹き出される。
【００３１】
給気ファン３ＳＡは、羽根車３０の軸が水平方向に沿った向きとなり、ファン吸込口３１ａが側部に配置される。また、給気ファン３ＳＡは、ファンケース風路３１ｃが上向きに屈曲した形状で、ファン吹出口３１ｂが上部に配置される。
【００３２】
排気ファン３ＥＡも同様に、羽根車３０の軸が水平方向に沿った向きとなり、ファン吸込口３１ａが側部に配置される。また、排気ファン３ＥＡは、ファンケース風路３１ｃが上向きに屈曲した形状で、ファン吹出口３１ｂが上部に配置される。
【００３３】
ファンケース風路３１ｃは、羽根車３０の外周に沿って形成される風路と連通し、ファン吸込口３１ａから吸い込まれた空気が横方向に沿って流れる第１の風路３１ｄを備える。また、ファンケース風路３１ｃは、第１の風路３１ｄと連通し、第１の風路３１ｄを通る横方向に沿った空気の流れを縦方向に曲げる屈曲部３１ｅを備える。更に、ファンケース風路３１ｃは、屈曲部３１ｅと連通し、空気が縦方向に沿って流れてファン吹出口３１ｂから吹き出される第２の風路３１ｆとを備える。
【００３４】
ファンケース３１は、ファンケース風路３１ｃの開口面積が、第１の風路３１ｄから第２の風路３１ｆに向かって屈曲部３１ｅで広がる形状を有する。
【００３５】
風量検出センサ３２は検出手段の一例で、ファンケース風路３１ｃを通る空気ン流れで回転するシャッタ部材３２ａと、軸３２ｂにシャッタ部材３２ａが取り付けられ、シャッタ部材３２ａの回転による軸３２ｂの回転角度に応じた信号を出力する角度検出手段としてのエンコーダ３２ｃを備える。
【００３６】
風量検出センサ３２は、シャッタ部材３２ａの一方の端部である先端から軸３２ｂまでの長さが、シャッタ部材３２ａの他方の端部である後端から軸３２ｂまでの長さより長くなるように、シャッタ部材３２ａに対して軸３２ｂが偏芯して設けられる。
【００３７】
風量検出センサ３２は、軸３２ｂを支点としたシャッタ部材３２ａの回転方向が、ファンケース風路３１ｃの屈曲した方向に沿うように、第１の風路３１ｄと第２の風路３１ｆが連通するファンケース風路３１ｃの屈曲部３１ｅに、シャッタ部材３２ａが配置される。
【００３８】
すなわち、風量検出センサ３２は、軸３２ｂの向きを、ファンケース風路３１ｃを通る空気の流れに対して略直交する水平方向に沿った向きとし、軸３２ｂの位置を、第１の風路３１ｄに対して上側にオフセットされ、かつ、第２の風路３１ｆ方向にオフセットされる位置として、シャッタ部材３２ａが屈曲部３２ｅに配置される。
【００３９】
風量検出センサ３２は、羽根車３０が停止されている換気停止状態では、シャッタ部材３２ａの一方の端部側が下向きとなる方向に、シャッタ部材３２ａが自重で軸３２ｂを支点に回転して、シャッタ部材３２ａが鉛直方向に沿った向きとなる。
【００４０】
そして、風量検出センサ３２は、換気停止状態でシャッタ部材３２ａの先端と、ファンケース風路３１ｃを形成するファンケース３１の内面との間に所定の間隔で隙間が形成されるように、シャッタ部材３２ａの長さ及び軸３２ｂの位置が設定される。
【００４１】
これにより、給気ファン３ＳＡ及び排気ファン３ＥＡは、換気停止状態では、シャッタ部材３２ａで第１の風路３１ｄの一部が閉塞され、羽根車３０が回転駆動された初期の状態で、空気が流れる空間が形成されている。
【００４２】
また、給気ファン３ＳＡ及び排気ファン３ＥＡは、シャッタ部材３２ａの軸３２ｂの位置が、第１の風路３１ｄに対して上側にオフセットされ、かつ、第２の風路３１ｆ方向にオフセットされる位置としたことで、空気の流れで図３に矢印で示す開く方向に回転するシャッタ部材３２ａの軌跡が、第２の風路３１ｆに入ることが可能となる。
【００４３】
そして、給気ファン３ＳＡ及び排気ファン３ＥＡは、第２の風路３１ｆでは空気が上向きに流れるので、シャッタ部材３２ａに上方へ回転させる力が加えられ、シャッタ部材３２ａの回転角度を、換気停止状態におけるシャッタ部材３２ａの鉛直方向に沿った向きを０°としたとき、９０°より大きく設定することが可能になる。
【００４４】
ここで、シャッタ部材３２ａの回転角度αが１８０°以上になると、自重で復帰できなくなるので、シャッタ部材３２ａの回転角度αは、９０°より大きく１８０°より小さく設定される。
【００４５】
更に、給気ファン３ＳＡ及び排気ファン３ＥＡは、上述したように、シャッタ部材３２ａが屈曲部３１ｅに配置され、ファンケース風路３１ｃの開口面積が、第１の風路３１ｄから第２の風路３１ｆに向かって屈曲部３１ｅで広がる形状を有することで、空気の流れでシャッタ部材３２ａが開く方向に回転する動作で、ファンケース風路３１ｃの開口面積が広がる。
【００４６】
熱交換型換気装置１Ａは、給気ファン３ＳＡが取り付けられる給気ファン取付部１４ＳＡが、装置本体１０を正面から見て熱交換素子２の側方、本例では右側の側方の上部に設けられる。また、熱交換型換気装置１Ａは、排気ファン３ＥＡが取り付けられる排気ファン取付部１４ＥＡが、装置本体１０を正面から見て給気ファン取付部１４ＳＡと同じ熱交換素子２の側方、本例では右側の側方の下部に設けられる。
【００４７】
熱交換型換気装置１Ａは、風路形成部材１２の側方上部に、筐体１１との間に空間を設けて給気ファン取付部１４ＳＡが形成され、風路形成部材１２の側方下部に、筐体１１との間に空間を設けて排気ファン取付部１４ＥＡが形成されて、装置本体１０に給気ファン３ＳＡと排気ファン３ＥＡが取り付けられる。
【００４８】
熱交換型換気装置１Ａは、給気ファン取付部１４ＳＡに取り付けられる給気ファン３ＳＡが前後方向に移動可能に支持される構成を給気ファン３ＳＡと給気ファン取付部１４ＳＡに備える。熱交換型換気装置１Ａは、筐体１１の正面板１１ａを取り外すことで、給気ファン３ＳＡが前後方向への移動で装置本体１０の正面側から着脱可能に構成される。
【００４９】
また、熱交換型換気装置１Ａは、排気ファン取付部１４ＥＡに取り付けられる排気ファン３ＥＡが前後方向に移動可能に支持される構成を排気ファン３ＥＡと排気ファン取付部１４ＥＡに備える。熱交換型換気装置１Ａは、筐体１１の正面板１１ａを取り外すことで、排気ファン３ＥＡが前後方向への移動で装置本体１０の正面側から着脱可能に構成される。
【００５０】
熱交換型換気装置１Ａは、熱交換素子２の還気吸込口２１ＲＡから吸い込まれる還気ＲＡが通る還気吸込空間１５ＲＡと、熱交換素子２の排気吹出口２１ＥＡから吹き出される排気ＥＡが通る排気吹出空間１５ＥＡを備える。
【００５１】
また、熱交換型換気装置１Ａは、熱交換素子２の外気吸込口２１ＯＡから吸い込まれる外気ＯＡが通る外気吸込空間１５ＯＡと、熱交換素子２の給気吹出口２１ＳＡから吹き出される給気ＳＡが通る給気吹出空間１５ＳＡを備える。
【００５２】
熱交換型換気装置１Ａは、本例では、装置本体１０を正面から見て、風路形成部材１２の左側の上部に還気吸込空間１５ＲＡが形成され、風路形成部材１２の右側の上部に給気吹出空間１５ＳＡが形成される。また、熱交換型換気装置１Ａは、風路形成部材１２の左側の下部に外気吸込空間１５ＯＡが形成され、風路形成部材１２の右側の下部に排気吹出空間１５ＥＡが形成される。
【００５３】
熱交換型換気装置１Ａは、還気吸込空間１５ＲＡの上側に還気吸込口１０ＲＡが位置する風路構成で、還気吸込空間１５ＲＡと装置本体１０の上面に設けられる還気吸込口１０ＲＡが連通し、還気吸込口１０ＲＡと熱交換素子２の還気吸込口２１ＲＡが、還気吸込空間１５ＲＡを介して連通する。
【００５４】
また、熱交換型換気装置１Ａは、給気吹出空間１５ＳＡの側方に給気ファン３ＳＡが位置する風路構成で、給気吹出空間１５ＳＡと給気ファン３ＳＡのファン吸込口３１ａが連通する。
【００５５】
熱交換型換気装置１Ａは、給気ファン３ＳＡの上側に給気吹出口１０ＳＡが位置する風路構成で、給気ファン３ＳＡのファン吹出口３１ｂと、装置本体１０の上面に設けられる給気吹出口１０ＳＡが連通し、給気吹出口１０ＳＡと熱交換素子２の給気吹出口２１ＳＡが、給気吹出空間１５ＳＡと給気ファン３ＳＡを介して連通する。
【００５６】
熱交換型換気装置１Ａは、外気吸込口１０ＯＡと外気吸込空間１５ＯＡを連通させた外気吸込風路１６ＯＡを備える。熱交換型換気装置１Ａは、装置本体１０を正面から見て熱交換素子２の側方、本例では左側の風路形成部材１２に、上下方向に延在する空間を設けて外気吸込風路１６ＯＡが構成される。
【００５７】
熱交換型換気装置１Ａは、外気吸込風路１６ＯＡの上部側と、装置本体１０の上面に設けられる外気吸込口１０ＯＡが連通する。また、熱交換型換気装置１Ａは、外気吸込風路１６ＯＡが装置本体１０の下部に形成される外気吸込空間１５ＯＡの側方まで延在し、外気吸込風路１６ＯＡの下部側と外気吸込空間１５ＯＡが連通する。
【００５８】
更に、熱交換型換気装置１Ａは、外気吸込風路１６ＯＡと還気吸込空間１５ＲＡが風路形成部材１２で仕切られる。
【００５９】
これにより、熱交換型換気装置１Ａは、外気吸込口１０ＯＡと熱交換素子２の外気吸込口２１ＯＡが、外気吸込風路１６ＯＡと外気吸込空間１５ＯＡを介して連通する。また、外気吸込風路１６ＯＡが熱交換素子２の側方に設けられることで隣接した外気吸込風路１６ＯＡと還気吸込空間１５ＲＡが、風路形成部材１２で隔絶される。
【００６０】
また、熱交換型換気装置１Ａは、排気吹出空間１５ＥＡと排気吹出口１０ＥＡを、排気ファン３ＥＡを介して連通させた排気吹出風路１６ＥＡを備える。熱交換型換気装置１Ａは、装置本体１０を正面から見て熱交換素子２の側方、本例では右側の風路形成部材１２に、上下方向に延在する空間を設けて排気吹出風路１６ＥＡが構成される。
【００６１】
熱交換型換気装置１Ａは、排気吹出空間１５ＥＡの側方に排気ファン３ＥＡが位置する風路構成で、排気吹出空間１５ＥＡと排気ファン３ＥＡのファン吸込口３１ａが連通し、排気ファン３ＥＡのファン吹出口３１ｂと排気吹出風路１６ＥＡの下部側が連通する。
【００６２】
また、熱交換型換気装置１Ａは、排気吹出風路１６ＥＡが給気ファン３ＳＡの後方を通り、排気吹出風路１６ＥＡの上部側と、装置本体１０の上面に設けられる排気吹出口１０ＥＡが連通する。
【００６３】
更に、熱交換型換気装置１Ａは、排気吹出風路１６ＥＡと給気吹出空間１５ＳＡが風路形成部材１２で仕切られる。
【００６４】
これにより、熱交換型換気装置１Ａは、排気吹出口１０ＥＡと熱交換素子２の排気吹出口２１ＥＡが、排気吹出空間１５ＥＡと排気ファン３ＥＡと排気吹出風路１６ＥＡを介して連通する。また、排気吹出風路１６ＥＡが熱交換素子２の側方に設けられることで隣接した排気吹出風路１６ＥＡと給気吹出空間１５ＳＡが、風路形成部材１２で隔絶される。
【００６５】
これにより、熱交換型換気装置１Ａは、外気吸込口１０ＯＡ、外気吸込風路１６ＯＡ、外気吸込空間１５ＯＡ、熱交換素子２の第１の熱交換風路２０ａ、給気吹出空間１５ＳＡ、給気ファン３ＳＡ及び給気吹出口１０ＳＡが連通した給気風路１７ＳＡが形成される。
【００６６】
また、熱交換型換気装置１Ａは、還気吸込口１０ＲＡ、還気吸込空間１５ＲＡ、熱交換素子２の第２の熱交換風路２０ｂ、排気吹出空間１５ＥＡ、排気ファン３ＥＡ、排気吹出風路１６ＥＡ及び排気吹出口１０ＥＡが連通した排気風路１７ＥＡが形成される。
【００６７】
次に、給気風路１７ＳＡ及び排気風路１７ＥＡにおいて、熱交換素子２の第１の熱交換風路２０ａと第２の熱交換風路２０ｂの全体に空気を流す構成について説明する。
【００６８】
本実施の形態の熱交換型換気装置１Ａでは、熱交換素子２から給気ファン３ＳＡに吸い込まれる空気と、熱交換素子２から排気ファン３ＥＡに吸い込まれる空気を整流する手段を備えること、及び、熱交換素子２と熱交換素子２に連通する風路との位置関係によって、熱交換素子２の第１の熱交換風路２０ａと第２の熱交換風路２０ｂの全体に空気が流れるようにする。
【００６９】
すなわち、熱交換型換気装置１Ａは、熱交換素子２の給気吹出口２１ＳＡと、給気ファン３ＳＡのファン吸込口３１ａとの間の給気吹出空間１５ＳＡに、熱交換素子２の給気吹出口２１ＳＡから給気ファン３ＳＡに吸い込まれる空気を整流する整流板８ＳＡを備える。
【００７０】
また、熱交換型換気装置１Ａは、熱交換素子２の排気吹出口２１ＥＡと、排気ファン３ＥＡのファン吸込口３１ａとの間の排気吹出空間１５ＥＡに、熱交換素子２の排気吹出口２１ＥＡから排気ファン３ＥＡに吸い込まれる空気を整流する整流板８ＥＡを備える。
【００７１】
熱交換素子２は、給気吹出空間１５ＳＡに面した給気吹出口２１ＳＡが、装置本体１０を正面から見て、左右方向に沿った幅方向に所定の長さで開口している。
【００７２】
整流板８ＳＡは、給気ファン３ＳＡのファン吸込口３１ａに近い側の風路形成部材１２から、熱交換素子２の給気吹出口２１ＳＡの幅方向に沿って延在し、熱交換素子２の給気吹出口２１ＳＡの幅方向において、給気ファン３ＳＡのファン吸込口３１ａに近い側では、熱交換素子２の給気吹出口２１ＳＡと、給気ファン３ＳＡのファン吸込口３１ａとの間を遮蔽する。
【００７３】
また、整流板８ＳＡは、熱交換素子２の給気吹出口２１ＳＡとの間に所定の間隔を開けて、給気吹出口２１ＳＡに沿って延在し、熱交換素子２の給気吹出口２１ＳＡの幅方向において、給気ファン３ＳＡのファン吸込口３１ａから遠い側に、空気が通る風路が形成される。更に、整流板８ＳＡと、熱交換素子２の給気吹出口２１ＳＡとの間隔は、給気ファン３ＳＡのファン吸込口３１ａから遠い側に向かって広げられる。
【００７４】
熱交換素子２は、排気吹出空間１５ＥＡに面した排気吹出口２１ＥＡが、装置本体１０を正面から見て、左右方向に沿った幅方向に所定の長さで開口している。
【００７５】
排気風路１７ＥＡ側の整流板８ＥＡも、給気風路１７ＳＡ側の整流板８ＳＡと同様の構成である。整流板８ＥＡは、排気ファン３ＥＡのファン吸込口３１ａに近い側の風路形成部材１２から、熱交換素子２の排気吹出口２１ＥＡの幅方向に沿って延在し、熱交換素子２の排気吹出口２１ＥＡの幅方向において、排気ファン３ＥＡのファン吸込口３１ａに近い側では、熱交換素子２の排気吹出口２１ＥＡと、排気ファン３ＥＡのファン吸込口３１ａとの間を遮蔽する。
【００７６】
また、整流板８ＥＡは、熱交換素子２の排気吹出口２１ＥＡとの間に所定の間隔を開けて、排気吹出口２１ＥＡに沿って延在し、熱交換素子２の排気吹出口２１ＥＡの幅方向において、排気ファン３ＥＡのファン吸込口３１ａから遠い側に、空気が通る風路が形成される。更に、整流板８ＥＡと、熱交換素子２の排気吹出口２１ＥＡとの間隔は、排気ファン３ＥＡのファン吸込口３１ａから遠い側に向かって広げられる。
【００７７】
図６は、熱交換素子と給気ファン及び排気ファンとの位置関係を示す構成図、図７は、熱交換素子と還気吸込口との位置関係を示す構成図で、次に、各図を参照して、熱交換素子２と熱交換素子２に連通する風路との位置関係について説明する。
【００７８】
熱交換素子２は、第１の熱交換風路２０ａを構成する部材と第２の熱交換風路２０ｂを構成する部材が積層される構成で、熱交換素子２における空気の吸込口及び吹出口において、各熱交換風路を構成する部材の積層方向に沿った中心と、熱交換素子３に連通する風路との位置を合わせる。ここで、位置が合う構成とは、中心位置が完全に一致する構成でも良いし、中心位置の完全な一致ではなく、所定の範囲で略一致するように構成されていても良い。
【００７９】
すなわち、熱交換型換気装置１Ａは、熱交換素子２と連通する風路である給気ファン３ＳＡのファン吸込口３１ａ、本例では円形に開口したファン吸込口３１ａの中心Ｐａ１と、熱交換素子２の給気吹出口２１ＳＡにおいて、第１の熱交換風路２０ａを構成する部材と第２の熱交換風路２０ｂを構成する部材が積層する方向に沿った奥行き方向Ｗの中心Ｐａ２の位置が略合わせて配置される。
【００８０】
また、熱交換型換気装置１Ａは、熱交換素子２と連通する風路である排気ファン３ＥＡのファン吸込口３１ａ、本例では円形に開口したファン吸込口３１ａの中心Ｐｂ１と、熱交換素子２の排気吹出口２１ＥＡにおいて、各熱交換風路を構成する部材が積層する方向に沿った奥行き方向Ｗの中心Ｐｂ２の位置が略合わせて配置される。
【００８１】
更に、熱交換型換気装置１Ａは、熱交換素子２と連通する風路である還気吸込口１０ＲＡ、本例では、還気吸込口１０ＲＡに取り付けられる断面形状が円形のＲＡダクトジョイント１１ＲＡの中心Ｐｃ１と、熱交換素子２の還気吸込口２１ＲＡにおいて、各熱交換風路を構成する部材が積層する方向に沿った奥行き方向Ｗの中心Ｐｃ２の位置が略合わせて配置される。
【００８２】
次に、熱交換素子２をバイパスさせる風路について、各図を参照して説明する。熱交換型換気装置１Ａは、熱交換素子２の第２の熱交換風路２０ｂをバイパスさせるバイパス風路１８を備える。
【００８３】
熱交換型換気装置１Ａは、還気吸込空間１５ＲＡの後面側に設けた開口でバイパス風路入口１８ａが形成されると共に、排気吹出空間１５ＥＡの後面側に設けた開口でバイパス風路出口１８ｂが形成され、還気吸込空間１５ＲＡと排気吹出空間１５ＥＡとが連通する空間を、熱交換素子２の後方の風路形成部材１２に設けて、バイパス風路１８が形成される。
【００８４】
熱交換型換気装置１Ａは、バイパス風路１８を開閉する風路開閉ダンパ４を備える。熱交換型換気装置１Ａは、還気吸込空間１５ＲＡに設けたバイパス風路入口１８ａに、この開口を開閉する構成を有した風路開閉ダンパ４が取り付けられる。
【００８５】
これにより、熱交換型換気装置１Ａは、風路開閉ダンパ４の開閉で、還気ＲＡの全量を熱交換素子２の第２の熱交換風路２０ｂに通す風路と、還気ＲＡの一部を熱交換素子２の第２の熱交換風路２０ｂに通し、残部をバイパス風路１８に通す風路が切り替えられる。
【００８６】
熱交換型換気装置１Ａは、給気風路１７ＳＡに捕集フィルタ５と給気フィルタ６を備える。熱交換型換気装置１Ａは、空気が上部から下部へと流れる外気吸込風路１６ＯＡに、袋状の捕集フィルタ５が、上方に袋の開口部、下方に袋の底部となる向きで、着脱可能に取り付けられる。捕集フィルタ５は、袋部が捕集対象物と同系色に近い例えば黒等の色がつけられた不織布等で構成される。
【００８７】
また、熱交換型換気装置１Ａは、捕集フィルタ５の下流で、外気吸込空間１５ＯＡの入口に、給気フィルタ６が装置本体１０の前方から着脱可能に取り付けられる。
【００８８】
ここで、熱交換型換気装置１Ａは、給気フィルタ６を清掃する機構を備えても良い。フィルタ清掃機構は、例えば、給気フィルタ６の上流側にレールに沿って動作可能なブラシを備える。ブラシは、レールにガイドされて移動することで、給気フィルタ６の空気通過面の全面を通過できる構成を有する。また、フィルタ清掃機構は、給気フィルタ６の下部に受け皿を備え、ブラシの動作で給気フィルタ６から落とした粉塵等を、受け皿で回収する。
【００８９】
＜本実施の形態の熱交換型換気装置の制御機能例＞
図８は、本実施の形態の熱交換型換気装置の制御機能の一例を示すブロック図で、次に、各図を参照して、本実施の形態の熱交換型換気装置１Ａの制御機能について説明する。
【００９０】
熱交換型換気装置１Ａは、給気ファン３ＳＡに備えた風量検出センサ３２と、排気ファン３ＥＡに備えた風量検出センサ３２で検出された風量に基づき、給気ファン３ＳＡのモータ３０Ｍと排気ファン３ＥＡのモータ３０Ｍを制御する制御部３００を備える。
【００９１】
制御部３００は制御手段の一例で、風量検出センサ３２のエンコーダ３２ｃから出力される角度情報と風量情報のテーブルが設定され、給気ファン３ＳＡ及び排気ファン３ＥＡの各風量検出センサ３２から出力される角度情報に基づき、給気ファン３ＳＡ及び排気ファン３ＥＡのそれぞれの風量を検出する。
【００９２】
制御部３００は、給気ファン３ＳＡの風量検出センサ３２で検出した風量に基づき、給気ファン３ＳＡで所定の風量が得られるように、給気ファン３ＳＡのモータ３０Ｍに印加される電圧を制御する。また、制御部３００は、排気ファン３ＥＡの風量検出センサ３２で検出した風量に基づき、排気ファン３ＥＡで給気ファン３ＳＡと同じあるいは異なる所定の風量が得られるように、排気ファン３ＥＡのモータ３０Ｍに印加される電圧を制御する。
【００９３】
また、制御部３００は、モータ３０Ｍに印加する電圧情報と、モータ３０Ｍに所定の電圧を印加した場合の目標風量情報のテーブルが設定され、給気ファン３ＳＡ及び排気ファン３ＥＡにおいて、モータ３０Ｍに印加した電圧と、各風量検出センサ３２で検出した風量に基づき、給気フィルタ６の目詰まり等の負荷の発生の有無を検出する。
【００９４】
＜本実施の形態の換気装置の設置例＞
図９は、本実施の形態の熱交換型換気装置が設置される建物の一例を示す模式的な構成図である。熱交換型換気装置１Ａは、建物１００に設けた設置室１０１に、捕集フィルタ５を交換する際に開閉される蓋部１１ｂの開閉、及び正面板１１ａを取り外しての熱交換素子２、給気ファン３ＳＡ及び排気ファン３ＥＡの点検、交換等、装置本体１０内の所定のメンテナンスが可能な形態で設置される。
【００９５】
熱交換型換気装置１Ａは、ＯＡダクトジョイント１１ＯＡにＯＡダクト７１ＯＡが接続される。ＯＡダクト７１ＯＡは、建物１００の天井等に配置され、外壁に設けたＯＡ吸込グリル７２ＯＡと接続される。また、熱交換型換気装置１Ａは、ＥＡダクトジョイント１１ＥＡにＥＡダクト７１ＥＡが接続される。ＥＡダクト７１ＥＡは、建物１００の天井等に配置され、外壁に設けたＥＡ吹出グリル７２ＥＡと接続される。
【００９６】
更に、熱交換型換気装置１Ａは、ＳＡダクトジョイント１１ＳＡにＳＡダクト７１ＳＡが接続される。ＳＡダクト７１ＳＡは、建物１００の天井等に配置され、居室１０２の天井等に設けたＳＡ吹出グリル７２ＳＡと接続される。また、熱交換型換気装置１Ａは、ＲＡダクトジョイント１１ＲＡにＲＡダクト７１ＲＡが接続される。ＲＡダクト７１ＲＡは、建物１００の天井等に配置され、居室１０２の天井等に設けたＲＡ吸込グリル７２ＲＡと接続される。
【００９７】
＜本実施の形態の熱交換型換気装置の動作例＞
次に、各図を参照して、本実施の形態の熱交換型換気装置１Ａの動作例について説明する。
【００９８】
熱交換型換気装置１Ａは、給気ファン３ＳＡの羽根車３０が回転駆動されることで、給気ファン３ＳＡのファン吸込口３１ａから吸い込まれた空気が、ファンケース風路３１ｃを通って給気ファン３ＳＡのファン吹出口３１ｂから吹き出される。
【００９９】
これにより、熱交換型換気装置１Ａは、給気ファン３ＳＡが駆動されると、給気風路１７ＳＡを通る空気の流れが生じ、ＯＡ吸込グリル７２ＯＡから外気ＯＡが吸い込まれる。ＯＡ吸込グリル７２ＯＡから吸い込まれた外気ＯＡは、ＯＡダクト７１ＯＡを通り外気吸込口１０ＯＡから装置本体１０内に吸い込まれる。
【０１００】
外気吸込口１０ＯＡから装置本体１０内に吸い込まれる外気ＯＡは、外気吸込風路１６ＯＡから捕集フィルタ５及び給気フィルタ６を通り、外気吸込空間１５ＯＡから熱交換素子２の外気吸込口２１ＯＡに導入される。
【０１０１】
熱交換素子２に外気吸込口２１ＯＡから導入された外気ＯＡは、熱交換素子２の第１の熱交換風路２０ａを通り、熱交換素子２の給気吹出口２１ＳＡから給気吹出空間１５ＳＡを通り、給気ファン３ＳＡのファン吸込口３１ａに吸い込まれる。
【０１０２】
給気ファン３ＳＡに吸い込まれた空気は、給気ファン３ＳＡのファン吹出口３１ｂから吹き出され、給気ファン３ＳＡから吹き出された空気は、給気吹出口１０ＳＡから給気ＳＡとして装置本体１０外へ吹き出される。そして、給気吹出口１０ＳＡから吹き出された給気ＳＡは、ＳＡダクト７１ＳＡを通り、ＳＡ吹出グリル７２ＳＡから居室１０２に吹き出される。
【０１０３】
一方、熱交換型換気装置１Ａは、排気ファン３ＥＡの羽根車３０が回転駆動されることで、排気ファン３ＥＡのファン吸込口３１ａから吸い込まれた空気が、ファンケース風路３１ｃを通って排気ファン３ＥＡのファン吹出口３１ｂから吹き出される。
【０１０４】
これにより、熱交換型換気装置１Ａは、排気ファン３ＥＡが駆動されると、排気風路１７ＥＡを通る空気の流れが生じ、ＲＡ吸込グリル７２ＲＡから居室１０２の空気である還気ＲＡが吸い込まれる。ＲＡ吸込グリル７２ＲＡから吸い込まれた還気ＲＡは、ＲＡダクト７１ＲＡを通り還気吸込口１０ＲＡから装置本体１０内に吸い込まれる。
【０１０５】
還気吸込口１０ＲＡから装置本体１０内に吸い込まれる還気ＲＡは、還気吸込空間１５ＲＡから熱交換素子２の還気吸込口２１ＲＡに導入される。熱交換素子２に還気吸込口２１ＲＡから導入された還気ＲＡは、熱交換素子２の第２の熱交換風路２０ｂを通り、熱交換素子２の排気吹出口２１ＥＡから排気吹出空間１５ＥＡを通り、排気ファン３ＥＡのファン吸込口３１ａに吸い込まれる。
【０１０６】
排気ファン３ＥＡに吸い込まれた空気は、排気ファン３ＥＡのファン吹出口３１ｂから吹き出され、排気ファン３ＥＡから吹き出された空気は、排気吹出風路１６ＥＡを通り、排気吹出口１０ＥＡから排気ＥＡとして装置本体１０外へ吹き出される。そして、排気吹出口１０ＥＡから吹き出された排気ＥＡは、ＥＡダクト７１ＥＡを通り、ＥＡ吹出グリル７２ＥＡから屋外に吹き出される。
【０１０７】
熱交換型換気装置１Ａは、熱交換素子２では、外気ＯＡと還気ＲＡの間で熱交換が行われることで、室温に近づけられた給気ＳＡが室内に吹き出され、温度が調整された新鮮な空気（外気ＯＡ）が室内に供給される。また、室内の汚れた空気が屋外に排気されて、室温の変動を抑えて換気が行われる。
【０１０８】
熱交換型換気装置１Ａでは、熱交換素子２の下部の外気吸込口２１ＯＡから吸い込まれ、第１の熱交換風路２０ａを通り、熱交換素子２の上部の給気吹出口２１ＳＡから吹き出される空気と、熱交換素子２の上部の還気吸込口２１ＲＡから吸い込まれ、第２の熱交換風路２０ｂを通り、熱交換素子２の下部の排気吹出口２１ＥＡから吹き出される空気の流れが対向する。これにより、外気ＯＡと還気ＲＡが熱交換し得る距離が長くなり、熱交換効率が向上する。
【０１０９】
次に、バイパス風路１８を使用する制御について説明する。熱交換型換気装置１Ａは、外気ＯＡの温度等に基づき、風路開閉ダンパ４が開けられる。熱交換型換気装置１Ａでは、風路開閉ダンパ４が開けられると、排気風路１７ＥＡを通る還気ＲＡの一部が、還気吸込空間１５ＲＡと排気吹出空間１５ＥＡの間で熱交換素子２の第２の熱交換風路２０ｂを通り、排気風路１７ＥＡを通る還気ＲＡの残部が、熱交換素子２をバイパスしてバイパス風路１８を通る。
【０１１０】
春季及び秋季では、屋外と室内の温度差が一般的に小さく、外気ＯＡと還気ＲＡとの間で熱交換を行っても、熱交換前の外気ＯＡと熱交換後の給気ＳＡとの間で温度変化が少ない場合がある。
【０１１１】
そこで、風路開閉ダンパ４を開けて、還気ＲＡの一部は熱交換素子２を通し、残部は熱交換素子２をバイパスさせる。熱交換素子２は風路が狭く通気抵抗が大きい。このため、還気ＲＡの一部は熱交換素子２を通し、残部は熱交換素子２をバイパスさせることで、通気抵抗を減らすことができる。
【０１１２】
また、外気ＯＡが氷点下になるような冬季では、高湿の還気ＲＡと低温の外気ＯＡとの間で熱交換が行われることで、還気ＲＡの温度が下げられると、熱交換素子２における還気ＲＡの吹出口である排気吹出口２１ＥＡが凍結する場合がある。
【０１１３】
そこで、風路開閉ダンパ４を開けて、還気ＲＡの一部は熱交換素子２を通し、残部は熱交換素子２をバイパスさせる。これにより、熱交換されておらず温度が下げられていない還気ＲＡが排気吹出空間１５ＥＡに吹き出され、熱交換素子２の排気吹出口２１ＥＡを暖めることができ、排気吹出口２１ＥＡの凍結を防止することができる。
【０１１４】
次に、風量検出センサ３２での風量検出及び風量検出に基づく制御について説明する。熱交換型換気装置１Ａでは、給気ファン３ＳＡの羽根車３０が回転駆動されることで、ファンケース風路３１ｃを通る空気の流れによって、給気ファン３ＳＡに設けた風量検出センサ３２のシャッタ部材３２ａが軸３２ｂを支点に回転する。
【０１１５】
制御部３００は、風量検出センサ３２のエンコーダ３２ｃから出力される角度情報と風量情報のテーブルに基づき、給気ファン３ＳＡの風量検出センサ３２から出力されるシャッタ部材３２ａの角度情報から給気ファン３ＳＡの風量を検出し、給気ファン３ＳＡで所定の風量が得られるように、給気ファン３ＳＡのモータ３０Ｍに印加される電圧を制御する。
【０１１６】
また、熱交換型換気装置１Ａでは、排気ファン３ＥＡの羽根車３０が回転駆動されることで、ファンケース風路３１ｃを通る空気の流れによって、排気ファン３ＥＡに設けた風量検出センサ３２のシャッタ部材３２ａが軸３２ｂを支点に回転する。
【０１１７】
制御部３００は、角度情報と風量情報のテーブルに基づき、排気ファン３ＥＡの風量検出センサ３２から出力されるシャッタ部材３２ａの角度情報から排気ファン３ＥＡの風量を検出し、排気ファン３ＥＡで所定の風量が得られるように、排気ファン３ＥＡのモータ３０Ｍに印加される電圧を制御する。
【０１１８】
熱交換型換気装置１Ａでは、給気風路１７ＳＡと排気風路１７ＥＡは、風路形状の違いや風路長の違いにより一般的に通気抵抗が異なる。そこで、給気ファン３ＳＡと排気ファン３ＥＡのぞれぞれの風量検出センサ３２で検出された風量に基づき、給気ファン３ＳＡと排気ファン３ＥＡのぞれぞれのモータ３０Ｍに印加する電圧を変化させることで、給気風路１７ＳＡと排気風路１７ＥＡとの通気抵抗の違いによらず、給気風量と排気風量を一定にする制御が行われる。また、給気風量と排気風量を異ならせて、給気過多、換気過多とする制御が行われる。
【０１１９】
また、制御部３００は、モータ３０Ｍに印加する電圧情報と、モータ３０Ｍに所定の電圧を印加した場合の目標風量情報のテーブルに基づき、給気ファン３ＳＡ及び排気ファン３ＥＡにおいて、モータ３０Ｍに印加した電圧と、各風量検出センサ３２で検出した風量から、給気フィルタ６及び熱交換素子２の目詰まり等の負荷の発生の有無を検出する。
【０１２０】
そして、制御部３００は、負荷の発生を検出すると、表示あるいは音等を出力する図示しない報知手段で、利用者に通知を行う。ここで、給気フィルタ６を清掃する機構を備えた構成では、風量検出センサ３２で検出した風量から負荷の発生を検出すると、給気フィルタ６で目詰まりが発生したと判断し、給気ファン３ＳＡ及び排気ファン３ＥＡを停止し、フィルタ清掃機構を作動させることとしても良い。また、一定時間毎等の定期的にフィルタ清掃機構を作動させることとしても良い。
【０１２１】
＜本実施の形態の熱交換型換気装置の作用効果例＞
本実施の形態の熱交換型換気装置１Ａでは、装置本体１０の上面に外気吸込口１０ＯＡ、給気吹出口１０ＳＡ、還気吸込口１０ＲＡ、排気吹出口１０ＥＡが配置される。また、外気吸込口１０ＯＡと連通した外気吸込風路１６ＯＡが、熱交換素子２の一方の側方に配置され、外気ＯＡが装置本体１０内で上部から下部へと流れ、装置本体１０の下部で熱交換素子２の外気吸込口２１ＯＡから吸い込まれ、熱交換素子２内を下部から上部へ流れる。
【０１２２】
更に、排気吹出口１０ＥＡと連通した排気吹出風路１６ＥＡが、熱交換素子２の他方の側方に配置され、還気ＲＡが熱交換素子２内を上部から下部へ流れて外気ＯＡと熱交換された排気ＥＡが、装置本体１０内で下部から上部へと流れる。
【０１２３】
本実施の形態の熱交換型換気装置１Ａでは、このような風路構成としたことで、装置本体１０の小型化が可能となる。また、給気ファン３ＳＡ及び排気ファン３ＥＡを熱交換素子２の側方に配置し、バイパス風路１８を熱交換素子２の背面側に配置することで、熱交換素子２を、装置本体１０の前面から着脱可能な構成とすることができると共に、給気ファン３ＳＡ及び排気ファン３ＥＡを装置本体の前面から着脱可能な構成とすることができる。
【０１２４】
本実施の形態の熱交換型換気装置１Ａでは、上述した風路構成で、熱交換素子２から給気ファン３ＳＡに吸い込まれる空気を整流する整流板８ＳＡと、熱交換素子２から排気ファン３ＥＡに吸い込まれる空気を整流する整流板８ＥＡを備えることで、熱交換素子２の第１の熱交換風路２０ａと第２の熱交換風路２０ｂの全体に空気が流れるようにした。
【０１２５】
また、熱交換素子２とＲＡダクトジョイント１１ＲＡとの位置関係、及び、熱交換素子２と給気ファン３ＳＡ、排気ファン３ＥＡとの位置関係によって、熱交換素子２の第１の熱交換風路２０ａと第２の熱交換風路２０ｂの全体に空気が流れるようにした。
【０１２６】
図１０は、給気ファン及び排気ファンに吸い込まれる空気の流れを示す動作説明図で、次に、整流板の有無による空気の流れの差異について説明する。ここで、図１０（ａ）は、整流板がある場合の空気の流れ、図１０（ｂ）は、整流板がない場合の空気の流れを示す。また、図１０では、矢印の大きさで風量の大小を模式的に示している。なお、図１０では、給気ファン側を図示して説明しているが、排気ファン側も同様である。
【０１２７】
給気ファン３ＳＡが熱交換素子２の側面に沿って、熱交換素子２の給気吹出口２１ＳＡの側方に配置される構成では、給気ファン３ＳＡに吸い込まれる空気は、給気吹出口２１ＳＡの幅方向において、給気ファン３ＳＡに近い側での吸込量が多くなる。
【０１２８】
このため、図１０（ｂ）に示すように、熱交換素子２の給気吹出口２１ＳＡが面した給気吹出空間１５ＳＡに整流板が備えられていない構成では、給気吹出口２１ＳＡの幅方向において、給気ファン３ＳＡに遠い側の給気吹出口２１ＳＡから給気ファン３ＳＡのファン吸込口３１ａに吸い込まれる空気の量が少なくなる。これにより、熱交換素子２において、給気風路１７ＳＡを構成する第１の熱交換風路２０ａの全面に空気を通すことができない。
【０１２９】
これに対して、本実施の形態の熱交換型換気装置１Ａでは、給気ファン３ＳＡに近い側から熱交換素子２の給気吹出口２１ＳＡに沿って延在する整流板８ＳＡを備える。
【０１３０】
熱交換型換気装置１Ａは、図１０（ａ）に示すように、熱交換素子２の給気吹出口２１ＳＡの幅方向において、給気ファン３ＳＡのファン吸込口３１ａに近い側では、熱交換素子２の給気吹出口２１ＳＡと、給気ファン３ＳＡのファン吸込口３１ａとの間での直接的な空気の流れが、整流板８ＳＡで遮蔽される。
【０１３１】
また、整流板８ＳＡと、熱交換素子２の給気吹出口２１ＳＡとの間隔が、給気ファン３ＳＡのファン吸込口３１ａから遠い側に向かって広げられることで、熱交換素子２の給気吹出口２１ＳＡと、給気ファン３ＳＡのファン吸込口３１ａとの距離に応じて、距離が遠い側程多くの空気が吸い込まれるように整流される。
【０１３２】
これにより、熱交換素子２の給気吹出口２１ＳＡの幅方向において、給気ファン３ＳＡに近い側の給気吹出口２１ＳＡから給気ファン３ＳＡのファン吸込口３１ａに吸い込まれる空気の流れを整流板８ＳＡで迂回させることができ、給気ファン３ＳＡに近い側と遠い側の給気吹出口２１ＳＡから、同量程度の空気を給気ファン３ＳＡのファン吸込口３１ａに吸い込むようにすることができる。
【０１３３】
ここで、整流板８ＳＡを備えることで、給気吹出空間１５ＳＡにおける風路の開口面積が減少し、給気吹出空間１５ＳＡでの通気抵抗が増加する。そこで、給気風路１７ＳＡ全体での通気抵抗の増加を抑えるため、給気風路１７ＳＡにおいて、開口面積が最も狭い部分と、整流板８ＳＡで制限された給気吹出空間１５ＳＡにおける風路の開口面積が同等となるように構成する。これにより、整流板８ＳＡを備えることに起因する給気風路１７ＳＡ全体での通気抵抗の増加を抑えることができる。
【０１３４】
排気ファン３ＥＡ側でも同様の効果が得られ、整流板８ＥＡを備えることで、熱交換素子２の排気吹出口２１ＥＡの幅方向において、排気ファン３ＥＡに近い側と遠い側の排気吹出口２１ＥＡから、同量程度の空気を排気ファン３ＥＡのファン吸込口３１ａに吸い込むようにすることができる。
【０１３５】
また、排気風路１７ＥＡにおいて、開口面積が最も狭い部分と、整流板８ＥＡで制限された排気吹出空間１５ＥＡにおける風路の開口面積が同等となるように構成することで、整流板８ＥＡを備えることに起因する排気風路１７ＥＡ全体での通気抵抗の増加を抑えることができる。なお、整流板８ＳＡ及び整流板８ＥＡを可動とし、風路全体に空気が流れるようにして、熱交換効率を優先すること、通気抵抗が少なくなるようにして、消費電力を抑えること、あるいは、その中間となるように、整流板８ＳＡ及び整流板８ＥＡの角度等を切り替えられるようにしても良い。
【０１３６】
次に、熱交換素子２における空気の吸込口及び吹出口において、各熱交換風路を構成する部材の積層方向に沿った中心と、熱交換素子３に連通する風路との位置を合わせることによる空気の流れについて説明する。
【０１３７】
熱交換型換気装置では、熱交換素子を大型化すれば、熱交換高利率が上げられる一方、ダクトの径やファンの径の大型化は、熱交換素子の大型化と比較して、装置全体の大型化につながる。
【０１３８】
このため、熱交換型換気装置１Ａでは、熱交換素子２における空気の吸込口及び吹出口に対して、熱交換素子３に連通する風路の開口面積の方が小さい。例えば、装置本体１０の還気吸込口１０ＲＡ、及び還気吸込口１０ＲＡのＲＡダクトジョイント１１ＲＡに接続されるＲＡダクト７１ＲＡの開口面積は、熱交換素子２の還気吸込口２１ＲＡより小さい。また、給気ファン３ＳＡ及び排気ファン３ＥＡのファン吸込口３１ａの開口面積は、熱交換素子２の給気吹出口２１ＳＡ及び排気吹出口２１ＥＡより小さい。
【０１３９】
このように、熱交換素子２における空気の吸込口及び吹出口に対して、熱交換素子２に連通する風路の開口面積の方が小さいと、熱交換素子２における空気の吸込口あるいは吹出口と、熱交換素子２と連通した風路との位置関係によって、熱交換素子２の内部の空気は、最も流れやすい箇所を流れ、熱交換素子２の各熱交換風路で風量分布にばらつきが生じる。
【０１４０】
これに対して、まず、装置本体１０の還気吸込口１０ＲＡから熱交換素子２に吸い込まれる空気の流れに着目すると、熱交換素子２の還気吸込口２１ＲＡに対して、装置本体１０の還気吸込口１０ＲＡから送り込まれる空気は、還気吸込口１０ＲＡに取り付けられた断面形状が円形のＲＡダクトジョイント１１ＲＡの中心に対し、同心円上に流量の分布が広がる。
【０１４１】
この特性を利用して、本実施の形態の熱交換型換気装置１Ａでは、装置本体１０の還気吸込口１０ＲＡに取り付けられるＲＡダクトジョイント１１ＲＡの中心Ｐｃ１と、熱交換素子２の還気吸込口２１ＲＡにおいて、各熱交換風路を構成する部材が積層する方向に沿った奥行き方向Ｗの中心Ｐｃ２の位置が略合わせて配置される。
【０１４２】
これにより、装置本体１０の還気吸込口１０ＲＡ及びＲＡダクトジョイント１１ＲＡが、熱交換素子２の還気吸込口２１ＲＡにおける奥行き方向の中心に対して位置をずらして配置されている場合と比較して、排気風路１７ＥＡでは、熱交換素子２における空気の吸込側で、熱交換素子２の還気吸込口２１ＲＡから均等に空気（還気ＲＡ）が吸い込まれる。
【０１４３】
ここで、給気風路１７ＳＡでは、熱交換素子２における空気の吸込側に給気フィルタ６が配置されており、空気が給気フィルタ６を通過することによる整流効果で、熱交換素子２の外気吸込口２１ＯＡから均等に空気（外気ＯＡ）が吸い込まれる。
【０１４４】
また、排気風路１７ＥＡでは、熱交換素子２における空気の吹出側に、上述した整流板８ＥＡを備えることに加え、排気ファン３ＥＡのファン吸込口３１ａの中心Ｐｂ１と、熱交換素子２の排気吹出口２１ＥＡにおいて、各熱交換風路を構成する部材が積層する方向に沿った奥行き方向Ｗの中心Ｐｂ２の位置が合わせて配置される。
【０１４５】
これにより、熱交換素子２の排気吹出口２１ＥＡの奥行き方向においても、排気吹出口２１ＥＡの全面から、同量程度の空気を排気ファン３ＥＡのファン吸込口３１ａに吸い込むようにすることができる。従って、熱交換素子２において、排気風路１７ＥＡを構成する第２の熱交換風路２０ｂの全域わたって均等に風量が分布させることができる。
【０１４６】
給気風路１７ＳＡでも同様に、熱交換素子２における空気の吹出側に、上述した整流板８ＳＡを備えることに加え、給気ファン３ＳＡのファン吸込口３１ａの中心Ｐａ１と、熱交換素子２の給気吹出口２１ＳＡにおいて、各熱交換風路を構成する部材が積層する方向に沿った奥行き方向Ｗの中心Ｐａ２の位置が合わせて配置される。
【０１４７】
これにより、熱交換素子２の給気吹出口２１ＳＡの奥行き方向においても、給気吹出口２１ＳＡの全面から、同量程度の空気を給気ファン３ＳＡのファン吸込口３１ａに吸い込むようにすることができる。従って、熱交換素子２において、給気風路１７ＳＡを構成する第１の熱交換風路２０ａの全域わたって均等に風量が分布させることができる。
【０１４８】
このように、熱交換素子２の第１の熱交換風路２０ａと第２の熱交換風路２０ｂの全域わたって均等に風量が分布させることができるので、熱交換効率を向上させることができる。
【０１４９】
図１１は、整流板の有無による熱交換素子の吹出口における風速の分布を示すグラフ、図１２は、ダクトジョイントの位置による熱交換素子の吸込口における風速の分布を示すグラフである。
【０１５０】
図１１では、熱交換素子２の排気吹出口２１ＥＡの幅方向における風速の分布を示す。整流板８ＥＡが備えられていない構成では、図１１に破線で示すように、熱交換素子２の排気吹出口２１ＥＡの幅方向において、排気ファン３ＥＡのファン吸込口３１ａに近い側での風速が大きく、遠い側での風速が小さいことがわかる。
【０１５１】
これに対して、整流板８ＥＡを備えた本実施の形態の構成では、図１１に実線で示すように、熱交換素子２の排気吹出口２１ＥＡの幅方向において、排気ファン３ＥＡのファン吸込口３１ａに近い側と遠い側で、風速のばらつきが抑えられていることがわかる。
【０１５２】
これにより、整流板８ＥＡを備えることで、熱交換素子２の排気吹出口２１ＥＡの幅方向において、排気ファン３ＥＡに近い側と遠い側の排気吹出口２１ＥＡから、同量程度の空気を排気ファン３ＥＡのファン吸込口３１ａに吸い込めることがわかった。
【０１５３】
図１２では、熱交換素子２の還気吸込口２１ＲＡの奥行き方向における風速の分布を示す。ＲＡダクトジョイント１１ＲＡが熱交換素子２の還気吸込口２１ＲＡの奥行き方向の中心からずれている構成、ここでは６０ｍｍずれている構成では、図１２に破線で示すように、熱交換素子２の還気吸込口２１ＲＡの奥行き方向の全体で、風速が低下していることが判る。
【０１５４】
これに対して、ＲＡダクトジョイント１１ＲＡが熱交換素子２の還気吸込口２１ＲＡの奥行き方向の中心に合わせられた本実施の形態の構成では、図１２に実線で示すように、熱交換素子２の還気吸込口２１ＲＡの奥行き方向の全体で、風速が向上していることが判る。
【０１５５】
これにより、ＲＡダクトジョイント１１ＲＡが熱交換素子２の還気吸込口２１ＲＡの奥行き方向の中心に合わせられることで、熱交換素子２の還気吸込口２１ＲＡから均等に空気が吸い込まれることが判った。
【産業上の利用可能性】
【０１５６】
本発明は、風量の制御が行われる換気装置に適用される。
【符号の説明】
【０１５７】
１Ａ・・・熱交換型換気装置、１０・・・装置本体、１０ＯＡ・・・外気吸込口、１０ＳＡ・・・給気吹出口、１０ＲＡ・・・還気吸込口、１０ＥＡ・・・排気吹出口、１１・・・筐体、１２・・・風路形成部材、１３・・・熱交換素子取付部、１４ＳＡ・・・給気ファン取付部、１４ＥＡ・・・排気ファン取付部、１５ＯＡ・・・外気吸込空間、１５ＳＡ・・・給気吹出空間、１５ＲＡ・・・還気吸込空間、１５ＥＡ・・・排気吹出空間、１６ＯＡ・・・外気吸込風路、１６ＥＡ・・・排気吹出風路、１７ＳＡ・・・給気風路、１７ＥＡ・・・排気風路、１８・・・バイパス風路、２・・・熱交換素子、２０ａ・・・第１の熱交換風路、２０ｂ・・・第２の熱交換風路、２１ＯＡ・・・外気吸込口、２１ＳＡ・・・給気吹出口、２１ＲＡ・・・還気吸込口、２１ＥＡ・・・排気吹出口、３ＳＡ・・・給気ファン、３ＥＡ・・・排気ファン、３０・・・羽根車、３０Ｍ・・・モータ、３１・・・ファンケース、３１ａ・・・ファン吸込口、３１ｂ・・・ファン吹出口、３１ｃ・・・ファンケース風路、３１ｄ・・・第１の風路、３１ｅ・・・屈曲部、３１ｆ・・・第２の風路、３２・・・風量検出センサ、３２ａ・・・シャッタ部材、３２ｂ・・・軸、３２ｃ・・・エンコーダ、３３ａ・・・第１のストッパ、３３ｂ・・・第２のストッパ、４・・・風路開閉ダンパ、５・・・捕集フィルタ、６・・・給気フィルタ、８ＳＡ・・・整流板、８ＥＡ・・・整流板、３００・・・制御部
【図１】
2014092292.tif 000003
【図２】
2014092292.tif 000004
【図３】
2014092292.tif 000005
【図４】
2014092292.tif 000006
【図５】
2014092292.tif 000007
【図６】
2014092292.tif 000008
【図７】
2014092292.tif 000009
【図８】
2014092292.tif 000010
【図９】
2014092292.tif 000011
【図１０】
2014092292.tif 000012
【図１１】
2014092292.tif 000013
【図１２】
2014092292.tif 000014